(57)【要約】【課題】男性の立ち小便（放尿）が便器本体の上面や周辺などへ汚く飛散することを防ぐ。【解決手段】便器本体（Ａ）の上面へ便座（Ｃ）と便蓋（Ｄ）とを順次積み重なる状態として、且つ共通の水平な回動支点軸（３６）により各々起伏的な回動自在に枢着した洋式水洗便器において、上記便座（Ｃ）と便器本体（Ａ）との上下相互間に介在する小便受け座（Ｂ）を、その便器本体（Ａ）の上面へ取り付け固定した。【選択図】図８
0003165085.tif 000002
【実用新案登録請求の範囲】
【請求項１】
便器本体（Ａ）の上面へ便座（Ｃ）と便蓋（Ｄ）とを順次積み重なる状態として、且つ共通の水平な回動支点軸（３６）により各々起伏的な回動自在に枢着した洋式水洗便器において、
上記便座（Ｃ）と便器本体（Ａ）との上下相互間に介在する小便受け座（Ｂ）を、その便器本体（Ａ）の上面へ取り付け固定したことを特徴とする洋式水洗便器。
【請求項２】
便器本体（Ａ）のリム部（１６）から背後方向へ張り出す水平な支持フランジ（１２）の上面に、小便受け座（Ｂ）の取付板（２０）と正面視のほぼＵ字形軸受サドル（２３）の水平な台座（２３ａ）とを順次積み重なる状態として、上方から差し込み貫通する複数の取付ボルト（２６）とその締結ナット（２８）により取り付け固定すると共に、
上記軸受サドル（２３）の垂直な挟持片（２３ｂ）へ便座（Ｃ）の取付耳片（３０）と便蓋（Ｄ）の取付片（３４）とを、横方向から串刺し貫通する１本の水平な回動支点軸（３６）により、各々起伏的な回動自在に枢着したことを特徴とする請求項１記載の洋式水洗便器。
【請求項３】
便器本体（Ａ）の上面へ便座（Ｃ）と便蓋（Ｄ）とを順次積み重なる状態として、且つ共通の水平な回動支点軸（３６）により各々起伏的な回動自在に枢着した洋式水洗便器において、
上記便座（Ｃ）と便器本体（Ａ）との上下相互間に介在する小便受け座（Ｂ）を、その便器本体（Ａ）の上面へ上記回動支点軸（３６）により起伏的な回動自在に枢着したことを特徴とする洋式水洗便器。
【請求項４】
便器本体（Ａ）のリム部（１６）から背後方向へ張り出す水平な支持フランジ（１２）の上面に、正面視のほぼＵ字形軸受サドル（２３）の水平な台座（２３ａ）を上方から差し込み貫通する複数の取付ボルト（２６）とその締結ナット（２８）により取り付け固定すると共に、
上記軸受サドル（２３）の垂直な挟持片（２３ｂ）へ小便受け座（Ｂ）の取付板（２０）と便座（Ｃ）の取付耳片（３０）並びに便蓋（Ｄ）の取付片（３４）とを順次積み重なる状態として、横方向から串刺し貫通する１本の水平な回動支点軸（３６）により、各々起伏的な回動自在に枢着したことを特徴とする請求項３記載の洋式水洗便器。
【請求項５】
小便受け座（Ｂ）を、便器本体（Ａ）のリム部（１６）とほぼ対応合致する大きさ並びに平面輪郭形状の底板面（１８）と、その底板面（１８）から一定高さ（ｈ）だけ起立する縁取り壁面（１９）とを備えた断面ほぼＬ字形か、又はその底板面（１８）と縁取り壁面（１９）との角隅部に斜面（４０）をも備えた断面ほぼ直角三角形に造形したことを特徴とする請求項１、２、３又は４記載の洋式水洗便器。
【請求項６】
便器本体（Ａ）の内面のみか又は便器本体（Ａ）の内面と小便受け座（Ｂ）の内面へ、小便との補色や濃い寒色、その他の識別可能な背景になる着色カラーを施したことを特徴とする請求項１、２、３又は４記載の洋式水洗便器。
【請求項７】
便器本体（Ａ）の内面へ小便の着地点を示す目印（４１）を付与したことを特徴とする請求項１、２、３又は４記載の洋式水洗便器。
【考案の詳細な説明】
【技術分野】
【０００１】
本考案は洋式水洗便器の改良に係り、特に男性の立ち小便（放尿）が便器本体の上面や周辺へ汚く飛散しないように工夫したものである。
【背景技術】
【０００２】
特開平７−３４５０９号公報には洋式便器の小便飛散防止用アダプターが記載されている。
【０００３】
このアダプターの小便受け（５）は、便器（１）のリム部（３）と対応する大きさの水平な袖部（６）とその外周縁の立ち上がり部（７）とから成る断面Ｌ字形の開口上縁部を具備している点並びに既設の洋式便器へ後付け使用できるものとされている点で、本考案に最も近似する公知技術であると考えられる。
【先行技術文献】
【特許文献】
【０００４】
【特許文献１】特開平７−３４５０９号公報
【考案の概要】
【考案が解決しようとする課題】
【０００５】
ところが、上記特開平７−３４５０９号公報に開示されたアダプターの構成では、その底無し椀形状の小便受け（５）が便座（２）の裏面から左右一対の支持具（１０）（１０ａ）などを介して、便器（１）の内部へ常時収容された状態に吊り掛けられているため、その小便受け（５）によって便器（１）に既設の洗浄ノズルが覆い隠されてしまうこととなり、大便時のお尻洗浄や女性のビデ洗浄を行なえない致命的な問題がある。
【０００６】
又、図３の使用状態にある便座（２）へ腰掛けて、大便や女性の小便が行なわれるところ、上記小便受け（５）の椀部（４）は便器（１）の内面を覆い隠しているため、その用便後にロータンクのレバーハンドルやリモコンスイッチを操作して、便器（１）の洗浄水（水道水）を流しても、これにより小便受け（５）の内面まで洗うことは不可能であり、その結果小便受け（５）だけを特別に清掃作業しなければならない。
【０００７】
その場合、小便受け（５）の内面には便座（２）への吊り掛け用支持具（１０）（１０ａ）を初め、その支持具（１０）（１０ａ）同士の連結ピン（１３）や台座（１１）（１１ａ）との連結ピン（１２）（１２ａ）、そのピン（１２）（１２ａ）（１３）の摺動穴（１４）などが、複雑な凹凸状態として露出しているため、これらを人手作業によって隅々まで洩れなく美麗に、しかも用便後の毎度清掃することは、甚だ煩らわしく重労働となる。
【０００８】
その清掃作業上、便座（２）の裏面に接着されている台座（１１ａ）を剥ぎ取ったり、或いは便座（２）と一体化されている台座（１１ａ）から、支持具（１０ａ）の連結ピン（１２ａ）を抜き取ったりすれば、更に一層始末に負えなくなると思われる。何れにしても、上記公知技術は男性の立ち小便時だけを考慮しているに過ぎず、洋式便器としての本末転倒であって、実用性に劣ると言わざるを得ない。
【課題を解決するための手段】
【０００９】
本考案はこのような課題の解決を目的としており、その目的を達成するために、請求項１では便器本体の上面へ便座と便蓋とを順次積み重なる状態として、且つ共通の水平な回動支点軸により各々起伏的な回動自在に枢着した洋式水洗便器において、
【００１０】
上記便座と便器本体との上下相互間に介在する小便受け座を、その便器本体の上面へ取り付け固定したことを特徴とする。
【００１１】
請求項２では便器本体のリム部から背後方向へ張り出す水平な支持フランジの上面に、小便受け座の取付板と正面視のほぼＵ字形軸受サドルの水平な台座とを順次積み重なる状態として、上方から差し込み貫通する複数の取付ボルトとその締結ナットにより取り付け固定すると共に、
【００１２】
上記軸受サドルの垂直な挟持片へ便座の取付耳片と便蓋の取付片とを、横方向から串刺し貫通する１本の水平な回動支点軸により、各々起伏的な回動自在に枢着したことを特徴とする。
【００１３】
他方、請求項３では便器本体の上面へ便座と便蓋とを順次積み重なる状態として、且つ共通の水平な回動支点軸により各々起伏的な回動自在に枢着した洋式水洗便器において、
【００１４】
上記便座と便器本体との上下相互間に介在する小便受け座を、その便器本体の上面へ上記回動支点軸により起伏的な回動自在に枢着したことを特徴とする。
【００１５】
請求項４では便器本体のリム部から背後方向へ張り出す水平な支持フランジの上面に、正面視のほぼＵ字形軸受サドルの水平な台座を上方から差し込み貫通する複数の取付ボルトとその締結ナットにより取り付け固定すると共に、
【００１６】
上記軸受サドルの垂直な挟持片へ小便受け座の取付板と便座の取付耳片並びに便蓋の取付片とを順次積み重なる状態として、横方向から串刺し貫通する１本の水平な回動支点軸により、各々起伏的な回動自在に枢着したことを特徴とする。
【００１７】
又、請求項５では小便受け座を、便器本体のリム部とほぼ対応合致する大きさ並びに平面輪郭形状の底板面と、その底板面から一定高さだけ起立する縁取り壁面とを備えた断面ほぼＬ字形か、又はその底板面と縁取り壁面との角隅部に斜面をも備えた断面ほぼ直角三角形に造形したことを特徴とする。
【００１８】
請求項６では便器本体の内面のみか又は便器本体の内面と小便受け座の内面へ、小便との補色や濃い寒色、その他の識別可能な背景になる着色カラーを施したことを特徴とする。
【００１９】
更に、請求項７では便器本体の内面へ小便の着地点を示す目印を付与したことを特徴とする。
【考案の効果】
【００２０】
請求項１の上記構成によれば、便器本体の上面が小便受け座での常時被覆状態にあって、男性の立ち小便（放尿）がその小便受け座に捕捉されるため、従来技術のような便器本体の上面や周辺などを小便（放尿）によって汚損することがなく、その煩らわしく不快な清掃作業が不要となり、特に老人や子供の使用上有効である。
【００２１】
又、上記小便受け座が便器本体の上面に取り付け固定されているとしても、その小便受け座の上面に積み重なる状態の便座と便蓋は、従前と同様な水平の回動支点軸を中心として、起伏的な回動自在であるため、冒頭に述べた公知発明と異なり、老若男女を問わず、その洋式水洗便器としてのあらゆる使用をも支障なく行なえる。
【００２２】
その場合、請求項２の構成を採用するならば、上記小便受け座を既設の洋式水洗便器に対しても、上方から差し込み貫通する複数の取付ボルトや軸受サドル、横方向から串刺し貫通する１本の水平な回動支点軸などを用いて、極めて容易に後付け施工することができ、汎用性と利便性に優れる。
【００２３】
他方、請求項３の構成によれば、請求項１の構成に伴なう上記諸効果を得られるばかりでなく、その便器本体の上面を被覆する小便受け座も、便座や便蓋と同様にして、起伏的な回動自在に枢着されているため、その小便受け座の清掃作業を便座や便蓋のそれと違和感なく、しかも簡便・確実に行なえる効果もある。
【００２４】
特に、請求項４の構成を採用するならば、上記請求項２と同じく上方から差し込み貫通する複数の取付ボルトや軸受サドル、横方向から串刺し貫通する１本の水平な回動支点軸などを用い乍らも、その小便受け座を便座並びに便蓋と同様にして、便器本体へ起伏的な回動自在に枢着することができ、やはり既設の洋式水洗便器に対する後付け施工性に著しく優れる。
【００２５】
又、請求項５の構成を採用するならば、小便受け座が断面ほぼＬ字形又は断面ほぼ直角三角形をなすため、その底板面から起立する縁取り壁面又は斜面によって、小便（放尿）を安定良く確実に捕捉することができ、しかも単純な断面形状のもとで上向き全開状態に露出しているため、これに捕捉された小便の洗い流しやその他の清掃作業上、その小便受け座を容易に隅々まで洩れなく行なえるのであり、優れた衛生効果を得られる。
【００２６】
更に、請求項６の構成や請求項７の構成を採用するならば、上記小便受け座の働きに加えて、その小便の方向性や着地点を案内表示する目印又は着色カラーによっても、小便の飛散防止効果を得られるため、その効果がますます向上する。
【図面の簡単な説明】
【００２７】
【図１】本考案に係る洋式水洗便器の第１実施形態を示す分解斜面図である。
【図２】図１の小便受け座を抽出して示す平面図である。
【図３】図１の施蓋状態を示す平面図である。
【図４】図３の側面図である。
【図５】図３の５−５線に沿う拡大断面図である。
【図６】図３の６−６線断面図である。
【図７】便座と便蓋の廻し起し状態を示す図３に対応する平面図である。
【図８】図７の８−８線断面図である。
【図９】本考案に係る洋式水洗便器の第２実施形態を示す分解斜面図である。
【図１０】図９の小便受け座を抽出して示す平面図である。
【図１１】図９の施蓋状態を示す平面図である。
【図１２】図１１の１２−１２線に沿う拡大断面図である。
【図１３】図９の小便（放尿）使用状態を示す断面図であって、図８と対応する。
【図１４】図１３から小便受け座も廻し起した状態を示す断面図である。
【図１５】小便受け座の変形実施形態を示す平面図である。
【図１６】図１５の取り付け使用状態を示す平面図である。
【図１７】図１６の１７−１７線断面図である。
【考案を実施するための形態】
【００２８】
以下、図面に基いて本考案の具体的構成を詳述すると、その洋式水洗便器の第１実施形態を示した図１〜８において、（Ａ）は水道直結型の陶器製便器本体であり、そのボール部（１１）の開口上端縁から背後方向へ長く張り出す水平な支持フランジ（１２）の先端部に、同じく陶器製のロータンク（洗浄水貯溜タンク）（１３）が固定搭載されている。（１４）はその支持フランジ（１２）の中途部に開口分布された左右一対の軸受サドル用取付孔である。尚、支持フランジ（１２）の内部に区成されたリム給水室は、図示省略してある。
【００２９】
（１５）は上記便器本体（Ａ）におけるボール部（１１）の開口上端縁を形作るリム部（１６）から、そのボール部（１１）の内側へ連続一体に突出する環状のリム通水路であって、その底面に射水孔（１７）が開口分布されており、上記ロータンク（１３）における図外のレバーハンドル又は特別のリモコンスイッチを操作すれば、そのロータンク（１３）内の洗浄水（水道水）がリム給水室とリム通水路（１５）並びに射水孔（１７）を通じて、便器本体（Ａ）のボール部（１１）へ供給されることになる。
【００３０】
又、（Ｂ）は上記便器本体（Ａ）へ上方からの積み重ね状態に取り付け固定される高強度な合成樹脂製又はステンレス鋼製の小便（放尿）受け座であって、図１、２や図６〜８のように、その便器本体（Ａ）のリム部（１６）と対応合致する大きさ並びに平面輪郭形状の底板面（１８）と、これから一定高さ（ｈ）（例えば約５mm〜約１０mm））だけ連続一体に起立する縁取り壁面（１９）とを備えた断面ほぼＬ字形に造形されていると共に、その縁取り壁面（１９）の背後から便器本体（Ａ）の支持フランジ（１２）上に向かって、水平な取付板（２０）が連続一体に張り出されている。（２１）はその取付板（２０）に開口分布された左右一対のボルト受け入れ孔であり、上記便器本体（Ａ）の支持フランジ（１２）に開口形成された軸受サドル用取付孔（１４）と合致連通する。（２２）は上記底板面（１８）に点在分布状態として付属一体化された複数の水密片又は緩衝片である。
【００３１】
更に、（２３）は後述の便座（Ｃ）と便蓋（Ｄ）を支持する共通の軸受サドルであって、正面視（前面視）のほぼＵ字形をなす金属板（好ましくはステンレス鋼板）から成り、その水平な台座（２３ａ）には左右一対の取付孔（２４）が開口分布されているほか、向かい合う一対の垂直な挟持片（２３ｂ）には回動支点軸受け入れ孔（２５）が開口形成されている。
【００３２】
そして、その軸受サドル（２３）の台座（２３ａ）に開口する取付孔（２４）から、上記小便受け座（Ｂ）の取付板（２０）に開口するボルト受け入れ孔（２１）を通じて、上記便器本体（Ａ）の支持フランジ（１２）に開口する取付孔（１４）へ、図１、５、６、８のように上方から対応的な左右一対の長い取付ボルト（２６）を差し込み貫通させ、その支持フランジ（１２）の下方（裏側）から両取付ボルト（２６）の先端部へ、公知の三角パッキング（図示省略）とスリップワッシャ（２７）を介して、固定ナット（２８）を各々締結することにより、上記軸受サドル（２３）と小便受け座（Ｂ）を便器本体（Ａ）への積み重ね状態として、一挙同時に取り付け固定することができるようになっている。
【００３３】
先に一言した便座（Ｃ）は小便受け座（Ｂ）へ上方から積み重ね使用され、これに腰掛けた使用者の体重に耐える（耐荷力がある）厚みを有する平盤（２９）として、高強度な耐熱合成樹脂からやはり上記便器本体（Ａ）のリム部（１６）とほぼ対応合致する大きさ並びに平面輪郭形状に造形されており、暖房用の電気ヒーター（図示省略）を内蔵している通例である。
【００３４】
（３０）は上記平盤（２９）の背後から連続一体に張り出す左右一対の取付耳片であり、その両取付耳片（３０）には上記軸受サドル（２３）側の回動支点軸受け入れ孔（２５）と合致連通する回動支点軸受け入れ孔（３１）が開口形成されている。（３２）は同じく平盤（２９）の底面に点在分布状態として付属一体化された複数の緩衝片（スペーサー）であり、図外の着座スイッチ（荷重センサー）を内蔵している。
【００３５】
更に、上記便座（Ｃ）を上方から被覆する便蓋（Ｄ）は高強度な合成樹脂製として、そ便座（Ｃ）とほぼ対応合致する大きさ並びに平面輪郭形状のカバー板（３３）から成り、その背後からほぼ倒立Ｌ字状に張り出す取付片（３４）には、やはり上記軸受サドル（２３）側の回動支点軸受け入れ孔（２５）と合致連通する回動支点軸受け入れ孔（３５）が貫通形成されている。同じくカバー板（３３）の周縁部に付属一体化された複数の緩衝片（スペーサー）は、図示省略してある。
【００３６】
そして、上記便器本体（Ａ）の支持フランジ（１２）へ上方から左右一対の取付ボルト（２６）とその固定ナット（２８）により、小便受け座（Ｂ）の取付板（２０）と一挙同時に台座（２３ａ）を取り付け固定した軸受サドル（２３）の挟持片（２３ｂ）と、その後小便受け座（Ｂ）へ順次積み重ねた便座（Ｃ）の取付耳片（３０）並びに便蓋（Ｄ）の取付片（３４）との全体に亘って、図１、３、５に示すように横方向から、１本の回動支点軸（３６）を水平に串刺し貫通させることにより、その便座（Ｃ）と便蓋（Ｄ）だけは上記軸受サドル（２３）へ起伏的な回動自在に枢着するのである。
【００３７】
この点、図示の回動支点軸（３６）は頭付きボルトから成るため、その先端部へ抜け止めナット（３７）を締結しているが、そのボルトに代るピンを採用して、これに止め輪を嵌め付けても良い。尚、図示の取付片（３４）を便座（Ｃ）の平盤（２９）から背後方向へ、同じく左右一対の取付耳片（３０）を便蓋（Ｄ）のカバー板（３３）から背後方向へ、各々連続一体に張り出してもさしつかえない。
【００３８】
上記した第１実施形態の構成によれば、小便受け座（Ｂ）が便器本体（Ａ）の上面に取り付け固定されており、その小便受け座（Ｂ）の上面に積み重なる便座（Ｃ）とこれを被覆する便蓋（Ｄ）は、上記便器本体（Ａ）の上面へ軸受サドル（２３）を介して、起伏的な回動自在に枢着されているため、男性が立った姿勢のもとで小便（放尿）する場合には、図７、８のように便蓋（Ｄ）と便座（Ｃ）をロータンク（１３）へ凭れ掛ける如く廻し起すことにより、便器本体（Ａ）を開放使用すれば良い。
【００３９】
その状態では便器本体（Ａ）のリム部（１６）に小便受け座（Ｂ）が載置しており、しかもその小便受け座（Ｂ）の底板面（１８）からは縁取り壁面（１９）が一定高さ（ｈ）だけ起立しているため、万一老人の失態や子供の戯れなどにより、放尿の方向を誤まったとしても、これが上記小便受け座（Ｂ）によって捕捉され、便器本体（Ａ）の上面や周辺などに汚く飛散するおそれはない。
【００４０】
又、上記小便受け座（Ｂ）に捕捉された小便の洗い流しやその他の清掃作業を行なう場合でも、その小便受け座（Ｂ）は単純な断面ほぼＬ字形として、図７、８のような上向き全開状態に露出しているため、これを隅々まで洩れなく容易に清掃できるのであり、衛生上の問題も生じない。
【００４１】
更に、上記便器本体（Ａ）の上面に取り付け固定された一定高さ（ｈ）の小便受け座（Ｂ）は、補高便座としても機能し、その結果便座（Ｃ）に対する老人の立ち坐りを安楽に介助できる効果がある。
【００４２】
尚、上記小便受け座（Ｂ）を便器本体（Ａ）の上面へ取り付け固定した状態のままでも、従来通り便座（Ｃ）に腰掛け使用しての大便や、その便器本体（Ａ）の既設ノズルによる洗浄、図３、４、６のような便器本体（Ａ）の施蓋並びに便器本体（Ａ）の清掃などをすべて支障なく行なえることは言うまでもない。
【００４３】
次に、図９〜１４は本考案に係る洋式水洗便器の第２実施形態を示しており、これでは小便受け座（Ｂ）も便座（Ｃ）や便蓋（Ｄ）と同じく、軸受サドル（２３）を介して便器本体（Ａ）の上面へ、起伏的な回動自在に枢着している。
【００４４】
（３８）はそのために上記小便受け座（Ｂ）を形作る縁取り壁面（１９）の背後から、やはり便器本体（Ａ）の水平な支持フランジ（１２）上に向かって連続一体に張り出された左右一対の取付耳片であり、その両取付耳片（３８）に開口形成された回動支点軸受け入れ孔（３９）が、上記軸受サドル（２３）側と便座（Ｃ）側並びに便蓋（Ｄ）側の回動支点軸受け入れ孔（２５）（３１）（３５）と悉く合致連通するようになっている。
【００４５】
そして、上記便器本体（Ａ）の支持フランジ（１２）へ上方から差し込み貫通する左右一対の取付ボルト（２６）とその固定ナット（２８）により、台座（２３ａ）を取り付け固定した軸受サドル（２３）の挟持片（２３ｂ）と、その後便器本体（Ａ）の上面へ順次積み重ねた小便受け座（Ｂ）の取付耳片（３８）と便座（Ｃ）の取付耳片（３０）並びに便蓋（Ｄ）の取付片（３４）との全体に亘って、図９、１１、１２のように横方向から、１本の回動支点軸（３６）を水平に串刺し貫通させることにより、その便座（Ｃ）と便蓋（Ｄ）のほかに小便受け座（Ｂ）も、上記軸受サドル（２３）へ起伏的な回動自在に枢着している。
【００４６】
尚、図９、１０に示した小便受け座（Ｂ）から張り出す左右一対の取付耳片（３８）は、これを便蓋（Ｄ）から張り出す取付片（３４）と同様な１個の取付片として、その小便受け座（Ｂ）の縁取り壁面（１９）から背後方向へ連続一体に張り出しても良い。第２実施形態におけるその他の構成は図１〜８の上記第１実施形態と実質的に同一であるため、その図９〜１４に図１〜８との同一符号を記入するにとどめて、その詳細な説明を省略する。
【００４７】
上記した第２実施形態の構成によれば、男性が立った姿勢のもとで小便（放尿）する場合、小便受け座（Ｂ）だけは図１３のように便器本体（Ａ）の上面へ載置させた状態に保ち、便座（Ｃ）と便蓋（Ｄ）をロータンク（１３）へ凭れ掛ける如く廻し起すことにより、便器本体（Ａ）を開放使用すれば良い。
【００４８】
その図１３に示す状態は上記第１実施形態の図７、８と実質上同一になるため、その断面ほぼＬ字形をなす小便受け座（Ｂ）によって、小便（放尿）が便器本体（Ａ）の上面や周辺などへ汚く飛散することを防げるのである。
【００４９】
又、上記小便受け座（Ｂ）は便座（Ｃ）や便蓋（Ｄ）と同じく、これを便器本体（Ａ）から図１４のように廻し起すことができ、殊更その回動操作を便座（Ｃ）や便蓋（Ｄ）との別個独立に行なえるため、小便受け座（Ｂ）と便器本体（Ａ）の清掃作業をますます短時間での便利良く、しかも隅々まで完全・確実に行なえるのであり、衛生効果も向上する。
【００５０】
上記第１、２実施形態の何れにあっても、その小便受け座（Ｂ）が便器本体（Ａ）のリム部（１６）とほぼ対応する大きさ並びに平面輪郭形状を有し、便器本体（Ａ）の上面へ載置した状態において使用される限りでは、その平面輪郭形状を例えば図１５、１６のようなほぼ楕円形又は鶏卵形に造形したり、更に断面形状を例えば図１７のような上記底板面（１８）と縁取り壁面（１９）との角隅部に斜面（４０）も具備したほぼ直角三角形として、その斜面（４０）に沿って小便（放尿）が便器本体（Ａ）のボール部（１１）内へ、自然落下状に導入されるように設定したりしても良い。
【００５１】
又、図１７に併記するような小便（放尿）の着地点を示す目印（案内標識）（４１）を、便器本体（Ａ）におけるボール部（１１）の内奥位置へ、特別な着色や電気的な発光などの方法により付与しても良い。
【００５２】
更に、上記着地点となる目印（案内標識）（４１）の表示に代えて、便器本体（Ａ）におけるボール部（１１）の内面のみか又はその内面と上記小便受け座（Ｂ）の内面へ、小便（放尿）と明確に識別できる補色や濃い寒色（好ましくは藍色）などの着色カラーを、吹付け塗装やその他の方法により施し、そのような着色カラーを背景として、小便（放尿）の方向性や着地点を知ることができるように定めることも考えられる。
【符号の説明】
【００５３】
（１１）・ボール部
（１２）・支持フランジ
（１３）・ロータンク
（１４）（２４）・取付孔
（１５）・リム通水路
（１６）・リム部
（１７）・射水孔
（１８）・底板面
（１９）・縁取り壁面
（２０）・取付板
（２１）・ボルト受け入れ孔
（２２）・水密片又は緩衝片                                                      （２３）・軸受サドル
（２３ａ）・台座
（２３ｂ）・挟持片
（２５）（３１）（３５）（３９）・回動支点軸受け入れ孔
（２６）・取付ボルト
（２７）・スリップワッシャ
（２８）・固定ナット
（２９）・平盤
（３０）（３８）・取付耳片
（３２）・緩衝片
（３３）・カバー板
（３４）・取付片
（３６）・回動支点軸
（３７）・抜け止めナット
（４０）・斜面
（４１）・目印
（Ａ）・便器本体
（Ｂ）・小便受け座
（Ｃ）・便座
（Ｄ）・便蓋
（ｈ）・一定高さ
【図１】
0003165085.tif 000003
【図２】
0003165085.tif 000004
【図３】
0003165085.tif 000005
【図４】
0003165085.tif 000006
【図５】
0003165085.tif 000007
【図６】
0003165085.tif 000008
【図７】
0003165085.tif 000009
【図８】
0003165085.tif 000010
【図９】
0003165085.tif 000011
【図１０】
0003165085.tif 000012
【図１１】
0003165085.tif 000013
【図１２】
0003165085.tif 000014
【図１３】
0003165085.tif 000015
【図１４】
0003165085.tif 000016
【図１５】
0003165085.tif 000017
【図１６】
0003165085.tif 000018
【図１７】
0003165085.tif 000019